(57)【特許請求の範囲】
【請求項１】
ガイドワイヤであって、
脈管内において該脈管に関する情報を検出する検出素子と、前記検出素子から前記ガイドワイヤの基端側に向かって延伸し、前記検出素子で検出した情報を伝達する延伸部と、を有する検出部と、
前記検出素子を収納する第１収納部と、前記延伸部を収納する第２収納部と、を有する収納部と、
前記第２収納部を基端部分まで被覆する被覆部と、
を備え、
前記被覆部の先端部は、前記第１収納部の基端部に接続されている、ガイドワイヤ。
【請求項２】
請求項１に記載のガイドワイヤであって、
前記被覆部は、
先端部における外径が、前記第１収納部の基端部における外径と等しく、
前記第１収納部と同軸に並んで配置されている、ガイドワイヤ。
【請求項３】
請求項１または請求項２に記載のガイドワイヤであって、
前記第２収納部の先端側には、基端側から先端側にかけて外径が徐々に縮径する縮径部が形成されている、ガイドワイヤ。
【請求項４】
請求項３に記載のガイドワイヤであって、
前記第１収納部の基端部には、前記被覆部の先端部と係合する段状部が形成されている、ガイドワイヤ。
【請求項５】
請求項１から請求項４のいずれか一項に記載のガイドワイヤであって、さらに、
前記第２収納部よりも基端側に配置されたシャフト部と、
前記第２収納部の基端側の一部分であって前記被覆部に覆われていない一部分と、前記第２収納部と前記シャフト部の境界部と、前記シャフト部の先端側の一部分と、を被覆する基端側被覆部と、
を備え、
前記第２収納部のうち前記被覆部に被覆されていると共に前記基端側被覆部に被覆されていない領域を第１領域とし、
前記第２収納部のうち前記被覆部に被覆されていないと共に前記基端側被覆部に被覆されている領域を第２領域としたとき、
前記第２領域の剛性は、前記第１領域の剛性以上である、ガイドワイヤ。
【請求項６】
請求項５に記載のガイドワイヤであって、
前記シャフト部のうち前記基端側被覆部に被覆されている領域を第３領域としたとき、
前記第３領域の剛性は、前記第２領域の剛性以上である、ガイドワイヤ。
【請求項７】
請求項６に記載のガイドワイヤであって、
前記シャフト部のうち前記基端側被覆部に被覆されていない領域を第４領域としたとき、
前記第４領域の剛性は、前記第３領域の剛性以上である、ガイドワイヤ。
【請求項８】
請求項５から請求項７のいずれか一項に記載のガイドワイヤであって、
前記第１収納部と、前記第２収納部と、前記基端側被覆部とは、超弾性材料により形成され、
前記被覆部と、前記シャフト部とは、前記超弾性材料よりも塑性変形しやすい材料により形成されている、ガイドワイヤ。
【請求項９】
請求項５から請求項７のいずれか一項に記載のガイドワイヤであって、
前記第１収納部と、前記第２収納部とは、超弾性材料により形成され、
前記被覆部と、前記基端側被覆部と、前記シャフト部とは、前記超弾性材料よりも塑性変形しやすい材料により形成されている、ガイドワイヤ。
【請求項１０】
請求項１から請求項９のいずれか一項に記載のガイドワイヤであって、
前記被覆部は、１又は複数の素線を螺旋状に巻回して形成されたコイル体である、ガイドワイヤ。
【請求項１１】
請求項１から請求項１０のいずれか一項に記載のガイドワイヤであって、
前記検出素子は、前記脈管内を流れる体液の圧力を検出する検出素子である、ガイドワイヤ。
【請求項１２】
請求項１から請求項１１のいずれか一項に記載のガイドワイヤであって、さらに、
前記第１収納部よりも先端側に設けられ、１又は複数の素線を螺旋状に巻回して形成された先端コイルを備える、ガイドワイヤ。
【発明の詳細な説明】
【技術分野】
【０００１】
本発明は、ガイドワイヤに関する。
【背景技術】
【０００２】
血管内に挿入され、血管内圧（以下、血圧と記載する）を検出（測定）するガイドワイヤが知られている。例えば、特許文献１には、管状部材の内側に配置された圧力センサを備える圧力検知ガイドワイヤが開示されている。このような圧力検知ガイドワイヤでは、血圧を検出するための圧力センサに対して血液を接触させる必要があるため、特許文献１では、管状部材に複数のスロットを形成することで、管状部材の内側に血液を流入させている。例えば、特許文献２には、螺旋状又は所定間隔で形成された環状のスロットを有する管状部材（医療用チューブ）が開示されている。
【先行技術文献】
【特許文献】
【０００３】
【特許文献１】特表２０１６−５１０６７９号公報
【特許文献２】特開平８−２５７１２８号公報
【発明の概要】
【発明が解決しようとする課題】
【０００４】
ここで、ガイドワイヤは、血管内に挿入されるため細径に構成されており、また、血管は複雑な湾曲形状を有している。この点、特許文献１に記載の圧力検知ガイドワイヤ、または、特許文献２に記載の医療用チューブを用いたガイドワイヤでは、周方向に複数のスロットが設けられていることから、ガイドワイヤの使用に伴って一のスロットと他のスロットの間において応力が集中し、管状部材が離断する虞があった。管状部材の離断に伴い離断片が体内に残存すると、離断片の摘出に手間がかかると共に、離断片によって体内組織を損傷する虞が生じるため好ましくない。さらに、特許文献２に記載の医療用チューブにおいて螺旋状のスロットを採用した場合、螺旋の巻き方向とは逆方向への回転操作に対するトルク伝達性が乏しいという課題があった。【０００５】
なお、このような課題は、血管内に挿入されて血圧を検出するガイドワイヤに限らず、脈管内に挿入されて該脈管に関する情報（例えば、圧力、温度、画像等）を検出・取得するガイドワイヤに共通する。また、このような課題は、血管系に限らず、リンパ腺系、胆道系、尿路系、気道系、消化器官系、分泌腺及び生殖器官等、人体内の各器官に挿入されるガイドワイヤに共通する。【０００６】
本発明は、上述した課題の少なくとも一部を解決するためになされたものであり、脈管内において該脈管に関する情報を取得することが可能なガイドワイヤにおいて、離断の虞を低減することを目的とする。
【課題を解決するための手段】
【０００７】
本発明は、上述の課題の少なくとも一部を解決するためになされたものであり、以下の形態として実現することが可能である。【０００８】
（１）本発明の一形態によれば、ガイドワイヤが提供される。このガイドワイヤは、脈管内において該脈管に関する情報を検出する検出素子と、前記検出素子から前記ガイドワイヤの基端側に向かって延伸し、前記検出素子で検出した情報を伝達する延伸部と、を有する検出部と、前記検出素子を収納する第１収納部と、前記延伸部を収納する第２収納部と、を有する収納部と、前記第２収納部を被覆する被覆部と、を備え、前記被覆部の先端部は、前記第１収納部の基端部に接続されている。【０００９】
一般に、検出素子で検出した情報を伝達する延伸部は、脈管に関する情報を検出する検出素子よりも細径である。この構成によれば、細径の延伸部を収納する第２収納部を、さらに被覆する被覆部を備えるため、仮に第２収納部に破損が生じた場合であっても、被覆部によってガイドワイヤの離断を抑制することができ、離断片が体内に残存することを抑制できる。また、この被覆部の先端部は、検出素子を収納する第１収納部の基端部に接続されているため、第１収納部と第２収納部との境界におけるガイドワイヤの離断を抑制することができ、離断片が体内に残存することを抑制できる。さらに、被覆部の先端部が第１収納部の基端部に接続されていることによって、ガイドワイヤへの回転操作に対するトルク伝達性を向上できる。これらの結果、本形態のガイドワイヤによれば、脈管内において該脈管に関する情報を取得することが可能なガイドワイヤにおいて、離断の虞を低減することができる。【００１０】
（２）上記形態のガイドワイヤにおいて、前記被覆部は、先端部における外径が、前記第１収納部の基端部における外径と略等しく、前記第１収納部と略同軸に並んで配置されていてもよい。この構成によれば、被覆部は、先端部における外径が第１収納部の基端部における外径と略等しく、第１収納部と略同軸に並んで配置されている。このため、被覆部の先端部と第１収納部の基端部との接続部分におけるガイドワイヤの外表面形状を、凹凸のない平坦な形状とすることができ、脈管内部の組織の損傷を抑制できる。【００１１】
（３）上記形態のガイドワイヤにおいて、前記第２収納部の先端側には、基端側から先端側にかけて外径が徐々に縮径する縮径部が形成されていてもよい。この構成によれば、第２収納部の先端部には、基端側から先端側にかけて外径が徐々に縮径する縮径部が形成されているため、第２収納部の先端部を、第２収納部の基端側と比較して柔軟に構成できる。【００１２】
（４）上記形態のガイドワイヤにおいて、前記第１収納部の基端部には、前記被覆部の先端部と係合する段状部が形成されていてもよい。この構成によれば、第１収納部の基端部には、被覆部の先端部と係合する段状部が形成されているため、製造時における第１収納部と被覆部との位置決めが容易となる。また、段状部が無い構成と比較して、第１収納部と被覆部との接続部分において局所的に剛性が高くなることを回避できる。【００１３】
（５）上記形態のガイドワイヤでは、さらに、前記第２収納部の基端側に配置されたシャフト部と、前記第２収納部の基端側の一部分であって前記被覆部に覆われていない一部分と、前記第２収納部と前記シャフト部の境界部と、前記シャフト部の先端側の一部分と、を被覆する基端側被覆部と、を備えていてもよい。前記第２収納部のうち前記被覆部に被覆されていると共に前記基端側被覆部に被覆されていない領域を第１領域とし、前記第２収納部のうち前記被覆部に被覆されていないと共に前記基端側被覆部に被覆されている領域を第２領域としたとき、前記第２領域の剛性は、前記第１領域の剛性以上であってもよい。この構成によれば、ガイドワイヤの剛性を、基端側から先端側にかけて徐々に柔軟とすることができ、支持力、トルク伝達性、及び血管選択性に優れたガイドワイヤを提供できる。また、基端側被覆部は、第２収納部とシャフト部の境界部及びその両端（すなわち、第２収納部の基端側の一部分であって被覆部に覆われていない一部分と、シャフト部の先端側の一部分）を被覆しているため、第２収納部とシャフト部の境界部における折れやキンクの発生を抑制することで、ガイドワイヤの耐久性を向上できる。【００１４】
（６）上記形態のガイドワイヤにおいて、前記シャフト部のうち前記基端側被覆部に被覆されている領域を第３領域としたとき、前記第３領域の剛性は、前記第２領域の剛性以上であってもよい。この構成によれば、ガイドワイヤの剛性を、基端側から先端側にかけて徐々に柔軟とすることができ、支持力、トルク伝達性、及び血管選択性に優れたガイドワイヤを提供できる。【００１５】
（７）上記形態のガイドワイヤにおいて、前記シャフト部のうち前記基端側被覆部に被覆されていない領域を第４領域としたとき、前記第４領域の剛性は、前記第３領域の剛性以上であってもよい。この構成によれば、ガイドワイヤの剛性を、基端側から先端側にかけて徐々に柔軟とすることができ、支持力、トルク伝達性、及び血管選択性に優れたガイドワイヤを提供できる。【００１６】
（８）上記形態のガイドワイヤにおいて、前記第１収納部と、前記第２収納部と、前記基端側被覆部とは、超弾性材料により形成され、前記被覆部と、前記シャフト部とは、前記超弾性材料よりも塑性変形しやすい材料により形成されていてもよい。この構成によれば、疲労強度の高い超弾性材料を用いることで、第１収納部と、第２収納部と、基端側被覆部とにおける破断耐久性を向上できる。また、被覆部と、シャフト部とに超弾性材料よりも塑性変形しやすい材料を用いることで、ガイドワイヤの剛性を、基端側から先端側にかけて徐々に柔軟とすることができ、支持力、トルク伝達性、及び血管選択性に優れたガイドワイヤを提供できる。【００１７】
（９）上記形態のガイドワイヤにおいて、前記第１収納部と、前記第２収納部とは、超弾性材料により形成され、前記被覆部と、前記基端側被覆部と、前記シャフト部とは、前記超弾性材料よりも塑性変形しやすい材料により形成されていてもよい。この構成によれば、疲労強度の高い超弾性材料を用いることで、第１収納部と、第２収納部とにおける破断耐久性を向上できる。また、被覆部と、基端側被覆部と、シャフト部とに超弾性材料よりも塑性変形しやすい材料を用いることで、ガイドワイヤの剛性を、基端側から先端側にかけて徐々に柔軟とすることができ、支持力、トルク伝達性、及び血管選択性に優れたガイドワイヤを提供できる。【００１８】
（１０）上記形態のガイドワイヤにおいて、前記被覆部は、１又は複数の素線を螺旋状に巻回して形成されたコイル体であってもよい。この構成によれば、被覆部は、１又は複数の素線を螺旋状に巻回して形成されたコイル体である。このため、仮に、被覆部と第２収納部との両方に破損が生じた場合であっても、被覆部は素線の巻きが解けて伸長するに留まるため、ガイドワイヤの離断をより一層抑制することができ、離断片が体内に残存することをより一層抑制できる。【００１９】
（１１）上記形態のガイドワイヤにおいて、前記検出素子は、前記脈管内を流れる体液の圧力を検出する検出素子であってもよい。この構成によれば、検出素子は、脈管内を流れる体液の圧力を検出する検出素子であるため、ガイドワイヤを、血圧を検出（測定）するデバイスとして構成できる。【００２０】
（１２）上記形態のガイドワイヤでは、さらに、前記第１収納部の先端側に設けられ、１又は複数の素線を螺旋状に巻回して形成された先端コイルを備えていてもよい。この構成によれば、第１収納部の先端側に設けられ、１又は複数の素線を螺旋状に巻回して形成された先端コイルを備えるため、先端側における柔軟性を向上することができ、脈管内の組織を損傷する虞を低減できる。【００２１】
なお、本発明は、種々の態様で実現することが可能であり、脈管内において該脈管に関する情報を取得することが可能なガイドワイヤ、ガイドワイヤの製造方法、ガイドワイヤの製造装置などの形態で実現することができる。
【図面の簡単な説明】
【００２２】
【図１】第１実施形態のガイドワイヤの断面構成を例示した説明図である。
【図２】図１のＡ−Ａ線における断面構成を例示した説明図である。
【図３】中間部の構成を例示した説明図である。
【図４】基端部の構成を例示した説明図である。
【図５】第２実施形態のガイドワイヤの中間部の構成を例示した説明図である。
【図６】第２実施形態のガイドワイヤの基端部の構成を例示した説明図である。
【図７】第３実施形態のガイドワイヤの中間部の構成を例示した説明図である。
【図８】第４実施形態のガイドワイヤの中間部の構成を例示した説明図である。
【図９】第５実施形態のガイドワイヤの基端部の構成を例示した説明図である。
【図１０】第６実施形態のガイドワイヤの中間部の構成を例示した説明図である。
【図１１】第７実施形態のガイドワイヤの断面構成を例示した説明図である。
【図１２】第８実施形態のガイドワイヤの断面構成を例示した説明図である。
【図１３】第９実施形態のガイドワイヤの中間部の構成を例示した説明図である。
【発明を実施するための形態】
【００２３】
＜第１実施形態＞
図１は、第１実施形態のガイドワイヤ１の断面構成を例示した説明図である。本実施形態のガイドワイヤ１は、血管に挿入して使用され、血圧（血管内圧）を検出することが可能なデバイスである。ガイドワイヤ１によって検出された血圧に基づいて、冠血流予備量比（ＦＦＲ：Fractional Flow Reserve）を導出することができる。冠血流予備量比は、狭窄前方の圧力に対する狭窄後方の圧力であり、生理学的狭窄重症度の指標として用いられている。
【００２４】
図１では、ガイドワイヤ１の中心を通る軸を軸線Ｏ（一点鎖線）で表す。以降、ガイドワイヤ１の中心を通る軸と、ガイドワイヤ１の各部材の中心を通る軸とは、軸線Ｏに一致するものとして説明するが、これらはそれぞれ相違していてもよい。また、図１には、相互に直交するＸＹＺ軸が図示されている。Ｘ軸はガイドワイヤ１の軸線方向（ガイドワイヤ１の挿入方向）に対応し、Ｙ軸はガイドワイヤ１の高さ方向に対応し、Ｚ軸はガイドワイヤ１の幅方向に対応する。図１の左側（−Ｘ軸方向）をガイドワイヤ１及び各構成部材の「先端側」と呼び、図１の右側（＋Ｘ軸方向）をガイドワイヤ１及び各構成部材の「基端側」と呼ぶ。また、ガイドワイヤ１及び各構成部材について、先端側に位置する端部及びその近傍を「先端部」または単に「先端」と呼び、基端側に位置する端部及びその近傍を「基端部」または単に「基端」と呼ぶ。先端側は、生体内部へ挿入される「遠位側」に相当し、基端側は、医師等の術者により操作される「近位側」に相当する。これらの点は、図１以降においても共通する。
【００２５】
図１に示すように、ガイドワイヤ１は、先端部１００と、中間部２００と、基端部３００とから構成されている。先端部１００は、ガイドワイヤ１の先端側に設けられており、先端コア１０１と、先端チップ１０５と、先端コイル１１０とを備えている。
【００２６】
先端コア１０１は、ガイドワイヤ１の軸線Ｏに沿って設けられ、基端側から先端側にかけて外径が縮径した中実の部材である。先端コア１０１は、先端側に設けられた先端部１０１ｂと、基端側に設けられたフランジ部１０１ａと、先端部１０１ｂとフランジ部１０１ａとの間に設けられたテーパ部１０１ｃとを有している。先端部１０１ｂは、略一定の外径を有する略円筒形状の部材であり、先端部１０１ｂからテーパ部１０１ｃの中間部までアニーリング処理（焼きなまし）がされている。フランジ部１０１ａは、先端部１０１ｂよりも大きな略一定の外径を有する略円筒形状の部材である。テーパ部１０１ｃは、基端側において、フランジ部１０１ａよりも小さな外径を有し、基端側から先端側にかけて緩やかに外径が縮小した部材である。先端コア１０１は、超弾性材料、例えば、ＮｉＴｉ（ニッケルチタン）合金や、ＮｉＴｉと他の金属との合金により形成されている。
【００２７】
先端コイル１１０は、先端コア１０１を、ガイドワイヤ１の周方向に取り囲むようにして設けられ、基端側から先端側にかけて略一定の外径を有している。先端コイル１１０は、内側に配置された第１コイル体１０２と、外側に配置された第２コイル体１０３とを有している。第１コイル体１０２は、複数本の素線を撚り合せた撚線を単条に巻回して形成される単条撚線コイルである。第２コイル体１０３は、１本の素線を単条に巻回して形成される単条コイルである。なお、第１コイル体１０２及び第２コイル体１０３は、それぞれ、１本の素線を単条に巻回して形成される単条コイルであってもよく、複数本の素線を多条に巻回して形成される多条コイルであってもよく、複数本の素線を撚り合せた撚線を単条に巻回して形成される単条撚線コイルであってもよく、複数本の素線を撚り合せた撚線を複数用い、各撚線を多条に巻回して形成される多条撚線コイルであってもよい。なお、第１コイル体１０２及び第２コイル体１０３は「先端コイル」に相当する。
【００２８】
第１コイル体１０２の基端部と、第２コイル体１０３の基端部とは、それぞれ、先端コア１０１のテーパ部１０１ｃの基端部に接合部１０６によって接合されている。接合には、任意の接合剤、例えば、銀ロウ、金ロウ、亜鉛、Ｓｎ−Ａｇ合金、Ａｕ−Ｓｎ合金等の金属はんだや、エポキシ系接着剤などの接着剤を用いることができる。図１の例では、第２コイル体１０３の素線の線径は、第１コイル体１０２の素線の線径よりも大きい。しかし、両線径は、略同一であってもよく、第２コイル体１０３の素線の線径は、第１コイル体１０２の素線の線径よりも小さくてもよい。第１コイル体１０２及び第２コイル体１０３は、例えば、超弾性材料よりも塑性変形しやすい材料、例えば、ＳＵＳ３０４、ＳＵＳ３１６等のステンレス合金により形成されている。
【００２９】
先端チップ１０５は、ガイドワイヤ１の先端部１００に配置され、先端コア１０１の先端部（先端コア１０１）と、第１コイル体１０２の先端部と、第２コイル体１０３の先端部とを接合し、一体的に保持している。先端チップ１０５は、任意の接合剤、例えば、銀ロウ、金ロウ、亜鉛、Ｓｎ−Ａｇ合金、Ａｕ−Ｓｎ合金等の金属はんだや、エポキシ系接着剤などの接着剤によって形成できる。
【００３０】
図２は、図１のＡ−Ａ線における断面構成を例示した説明図である。図３は、中間部２００の構成を例示した説明図である。図１及び図３に示すように、中間部２００は、ガイドワイヤ１の先端部１００と基端部３００との間に設けられており、センサ２０１と、収納部２０２と、中空撚線２０３と、被覆層２０４とを備えている。
【００３１】
センサ２０１は、先端コア１０１の基端側において、ガイドワイヤ１の軸線Ｏに沿って配置され、血管内を流れる体液の圧力を検出する光圧力センサである。センサ２０１は、先端部に設けられたセンサヘッド２０１ａと、基端側に設けられたセンサケーブル２０１ｂとを有している。センサヘッド２０１ａは、外圧の変化に応答して光の波長変調をするファブリ・ペロー共振器により血圧を検出する検出素子（マイクロチップ）である。なお、センサヘッド２０１ａは、ファブリ・ペロー共振器以外の手段で血圧を検出する光学式の検出素子であってもよく、非光学式の検出素子であってもよい。センサケーブル２０１ｂは、センサヘッド２０１ａにより検出された情報を伝達する光ファイバーである。センサケーブル２０１ｂは、先端部においてセンサヘッド２０１ａに接続され、センサヘッド２０１ａからガイドワイヤ１の基端側に向かって延伸し、基端部において図示しない制御装置及び表示装置に接続されている。なお、センサ２０１は「検出部」に相当し、センサヘッド２０１ａは「検出素子」に相当し、センサケーブル２０１ｂは「延伸部」に相当する。
【００３２】
収納部２０２は、センサ２０１（センサヘッド２０１ａ及びセンサケーブル２０１ｂ）を内部に収納することでセンサ２０１を保護する部材である。収納部２０２は、先端側に配置されたハウジング部２０２ａと、基端側に設けられた基端部２０２ｃと、ハウジング部２０２ａと基端部２０２ｃとの間に設けられた中間部２０２ｂとを有している。
【００３３】
ハウジング部２０２ａは、第２コイル体１０３と略同一の外径を有する略有底円筒形状の部材である。ハウジング部２０２ａの内側空間ＨＧには、センサヘッド２０１ａが収納されている。ハウジング部２０２ａの側面には、図２に破線で示すように、軸線Ｏ方向（Ｘ軸方向）の一部分、かつ、周方向の一部分に、ハウジング部２０２ａの内側と外側とを連通する貫通孔（第１孔２０２ｄ及び第２孔２０２ｅ）が形成されている。第１孔２０２ｄ及び第２孔２０２ｅは、ガイドワイヤ１の使用時において、血管内の血液をセンサヘッド２０１ａが収納された内側空間ＨＧへと流入させる血液流路として機能する。また、ハウジング部２０２ａの底面には、図１及び図３に示すように、センサケーブル２０１ｂを挿通させるための貫通孔が形成されている。ハウジング部２０２ａの先端には、連通孔のないハウジング先端部２０２ｆが設けられている。ハウジング先端部２０２ｆの内側面と、先端コア１０１のフランジ部１０１ａとは、第１接合部１０９によって接合されている。第１接合部１０９は、ハウジング先端部２０２ｆとフランジ部１０１ａとのレーザー溶接により形成できる。第１接合部１０９は、任意の接合剤や接着剤により形成してもよい。
【００３４】
中間部２０２ｂは、ハウジング部２０２ａよりも細い外径を有する略円筒形状の部材である。中間部２０２ｂの内腔は、ハウジング部２０２ａの底面の貫通孔と連通しており、センサケーブル２０１ｂが収納されている。中間部２０２ｂの先端側には、基端側から先端側にかけて外径が徐々に縮径した第１テーパ部２０２ｘが設けられている。中間部２０２ｂの基端側には、基端側から先端側にかけて外径が徐々に拡径した第２テーパ部２０２ｙが設けられている。基端部２０２ｃは、中間部２０２ｂよりも細い外径を有する略円筒形状の部材である。基端部２０２ｃの内腔は、中間部２０２ｂの内腔と連通しており、センサケーブル２０１ｂが収納されている。ハウジング部２０２ａ、中間部２０２ｂ、基端部２０２ｃからなる収納部２０２は、超弾性材料、例えば、ＮｉＴｉ合金や、ＮｉＴｉと他の金属との合金により形成されている。なお、ハウジング部２０２ａは「第１収納部」に相当し、中間部２０２ｂ及び基端部２０２ｃは「第２収納部」に相当し、第１テーパ部２０２ｘは「縮径部」に相当する。
【００３５】
中空撚線２０３は、中間部２０２ｂ及び基端部２０２ｃを、ガイドワイヤ１の周方向に取り囲むようにして設けられ、中間部２０２ｂ、基端部２０２ｃ、及び、シャフト３０２の先端部を被覆している。本実施形態の中空撚線２０３は、図３下段に示すように、複数本の素線２０３ｓを多条に巻回して形成される多条コイルである。中空撚線２０３は、１本の素線を単条に巻回して形成される単条コイルであってもよく、複数本の素線を撚り合せた撚線を単条に巻回して形成される単条撚線コイルであってもよく、複数本の素線を撚り合せた撚線を複数用い、各撚線を多条に巻回して形成される多条撚線コイルであってもよい。中空撚線２０３の内腔２０３ｈには、中間部２０２ｂ、基端部２０２ｃ、及びシャフト３０２の先端部が収容されている。中空撚線２０３の先端部と、ハウジング部２０２ａの基端部とは、第２接合部２０９によって接続（接合）されている。第２接合部２０９は、任意の接合剤、例えば、銀ロウ、金ロウ、亜鉛、Ｓｎ−Ａｇ合金、Ａｕ−Ｓｎ合金等の金属はんだや、エポキシ系接着剤などの接着剤により形成できる。なお、中空撚線２０３は「被覆部」に相当する。
【００３６】
中空撚線２０３は、少なくとも先端部における外径（素線の外側の最大径）が、ハウジング部２０２ａの基端部における外径と略同一であり、かつ、中空撚線２０３とハウジング部２０２ａとが略同軸に、軸線Ｏ方向に並んで配置されていることが好ましい。図１及び図３の例では、中空撚線２０３の外径は、先端側から基端側までの全域において、ハウジング部２０２ａの基端部における外径と同一であり、かつ、中空撚線２０３とハウジング部２０２ａとが軸線Ｏを中心として、軸線Ｏ方向に並んで配置されている。中空撚線２０３は、例えば、超弾性材料よりも塑性変形しやすい材料、例えば、ＳＵＳ３０４、ＳＵＳ３１６等のステンレス合金により形成されている。
【００３７】
被覆層２０４は、中空撚線２０３を被覆する親水性のコーティング層である。図１の例では、被覆層２０４は、中空撚線２０３と、中空撚線２０３の先端部に配置された第２接合部２０９と、中空撚線２０３の基端部に配置された第３接合部３０９ａと、をそれぞれ被覆している。被覆層２０４は、例えば、ウレタン、ポリイミド、ナイロン等の親水性の樹脂で形成できる。
【００３８】
図４は、基端部３００の構成を例示した説明図である。図１及び図４に示すように、基端部３００は、ガイドワイヤ１の基端側に設けられており、中空シャフト３０１と、シャフト３０２と、基端側被覆層３０４とを備えている。
【００３９】
図１に示すように、中空シャフト３０１は、センサケーブル２０１ｂを内部に収納することでセンサケーブル２０１ｂを保護する部材である。中空シャフト３０１は、先端側に配置された先端部３０１ａと、基端側に連続した基端部３０１ｂとを有している。
【００４０】
先端部３０１ａは、収納部２０２の基端部２０２ｃと略同一の曲げ剛性を有する略円筒形状の部材である。図４に示すように、中空シャフト３０１はシャフト３０２と接続されており、シャフト３０２は収納部２０２と接続されている。即ち、中空シャフト３０１と収納部２０２とは、シャフト３０２を介して接続されている。中空シャフト３０１とシャフト３０２との接続、及びシャフト３０２と収納部２０２との接続には、任意の接合剤、例えば、銀ロウ、金ロウ、亜鉛、Ｓｎ−Ａｇ合金、Ａｕ−Ｓｎ合金等の金属はんだや、エポキシ系接着剤などの接着剤を使用できる。図４では、先端部３０１ａの先端部と、収納部２０２の基端部２０２ｃの基端部とは接続されていないが、接続されていてもよい。以降では、先端部３０１ａの先端部と基端部２０２ｃの基端部との境界部を「境界部ＢＰ」とも呼ぶ（図４）。先端部３０１ａの内腔は、収納部２０２の基端部２０２ｃの内腔と連通しており、センサケーブル２０１ｂが収納されている。先端部３０１ａの基端側には、基端側から先端側にかけて外径が徐々に縮径したテーパ部３０１ｘが設けられている。
【００４１】
基端部３０１ｂは、シャフト３０２と略同一の外径を有する略円筒形状の部材である。基端部３０１ｂの内腔は、先端部３０１ａの内腔と連通しており、センサケーブル２０１ｂが収納されている。先端部３０１ａ、テーパ部３０１ｘ、基端部３０１ｂからなる中空シャフト３０１は、超弾性材料よりも塑性変形しやすい材料、例えば、ＳＵＳ３０４、ＳＵＳ３１６等のステンレス合金により形成されている。なお、中空シャフト３０１は「シャフト部」に相当する。
【００４２】
図４に示すように、シャフト３０２は、収納部２０２と中空シャフト３０１との境界部ＢＰ近傍を覆うことにより、境界部ＢＰを保護するとともに、ガイドワイヤ１の剛性徐変をもたらす部材である。シャフト３０２は、具体的には、収納部２０２の基端側の一部分であって、中空撚線２０３に覆われていない一部分（すなわち基端部２０２ｃ）と、収納部２０２と中空シャフト３０１との境界部ＢＰと、中空シャフト３０１の先端側の細径の一部分（すなわち先端部３０１ａ）と、を被覆している。シャフト３０２は、先端側に形成されたテーパ部３０２ｘと、基端側に形成された基端部３０２ａとを有している。基端部３０２ａは、中空シャフト３０１の基端部３０１ｂと略同一の外径を有し、かつ、中空撚線２０３よりも小さな内径を有する略円筒形状の部材である。
【００４３】
テーパ部３０２ｘは、基端側から先端側にかけて外径が縮径した部分である。図４に示すように、テーパ部３０２ｘの先端側の一部分は、中空撚線２０３の内側に入り込んでいる。テーパ部３０２ｘの外側面と、中空撚線２０３の基端部とは、第３接合部３０９ａによって接合されている。テーパ部３０２ｘから基端部３０２ａの内側面と、収納部２０２の基端部２０２ｃの外側面とは、第４接合部３０９ｂによって接合されている。また、シャフト３０２の基端部３０２ａと、中空シャフト３０１のテーパ部３０１ｘとは、第５接合部３０９ｃによって接合されている。第３，第４接合部３０９ａ，ｂは、任意の接合剤、例えば、銀ロウ、金ロウ、亜鉛、Ｓｎ−Ａｇ合金、Ａｕ−Ｓｎ合金等の金属はんだや、エポキシ系接着剤などの接着剤により形成できる。第３接合部３０９ａは、中空シャフト３０１とシャフト３０２とのレーザー溶接により形成できる。第３接合部３０９ａは、任意の接合剤や接着剤により形成してもよい。テーパ部３０２ｘ、基端部３０２ａからなるシャフト３０２は、超弾性材料よりも塑性変形しやすい材料、例えば、ＳＵＳ３０４、ＳＵＳ３１６等のステンレス合金により形成されている。なお、シャフト３０２は「基端側被覆部」に相当する。
【００４４】
ここで、図４に示すように、収納部２０２が中空撚線２０３に被覆されており、シャフト３０２には被覆されていない領域を第１領域Ａ１とする。同様に、収納部２０２がシャフト３０２に被覆されており、中空撚線２０３には被覆されていない領域を第２領域Ａ２とする。中空シャフト３０１がシャフト３０２に被覆されている領域を第３領域Ａ３とする。中空シャフト３０１がシャフト３０２に被覆されていない領域を第４領域Ａ４とする。このとき、第２領域Ａ２の剛性は、第１領域Ａ１の剛性以上である。また、第３領域Ａ３の剛性は、第２領域Ａ２の剛性以上である。さらに、第４領域Ａ４の剛性は、第３領域Ａ３の剛性以上である。すなわち、第１〜第４領域の剛性は、先端側から基端側にむけて徐々に大きくなる（剛性Ａ１≦Ａ２≦Ａ３≦Ａ４）。このような剛性の相違は、第１，２領域Ａ１，Ａ２間における収納部２０２の径の相違と、第２，３領域Ａ２，Ａ３間における収納部２０２及び中空シャフト３０１の材料の相違と、第２，３領域Ａ２，Ａ３間におけるシャフト３０２の径の相違と、第３，４領域Ａ３，Ａ４間における中空シャフト３０１の径の相違と、によってもたらされている。
【００４５】
基端側被覆層３０４は、第５接合部３０９ｃから中空シャフト３０１の基端部までの間を被覆するフッ素系樹脂のコーティング層である。基端側被覆層３０４は、例えば、ＰＴＦＥ、ＰＦＡ，ＦＥＰ等のフッ素系の樹脂で形成できる。
【００４６】
一般に、図１に示すように、血管等の脈管に関する情報を検出するセンサヘッド２０１ａ（検出素子）で検出した情報を伝達するセンサケーブル２０１ｂ（延伸部）は、センサヘッド２０１ａよりも細径である。第１実施形態のガイドワイヤ１によれば、細径のセンサケーブル２０１ｂを収納する収納部２０２の中間部２０２ｂ及び基端部２０２ｃ（第２収納部）を、さらに被覆する中空撚線２０３（被覆部）を備える。このため、仮に収納部２０２の中間部２０２ｂや基端部２０２ｃに破損が生じた場合であっても、中空撚線２０３によってガイドワイヤ１の離断を抑制することができ、離断片が体内に残存することを抑制できる。また、この中空撚線２０３の先端部は、センサヘッド２０１ａを収納する収納部２０２のハウジング部２０２ａ（第１収納部）の基端部に接続されている。このため、ハウジング部２０２ａと中間部２０２ｂとの境界におけるガイドワイヤ１の離断を抑制することができ、離断片が体内に残存することを抑制できる。さらに、中空撚線２０３の先端部がハウジング部２０２ａの基端部に接続されていることによって、ガイドワイヤ１への回転操作に対するトルク伝達性を向上できる。これらの結果、第１実施形態のガイドワイヤ１によれば、脈管内において該脈管に関する情報（第１実施形態の例では血圧、冠血流予備量比）を取得することが可能なガイドワイヤ１において、離断の虞を低減することができる。
【００４７】
また、図１に示すように、中空撚線２０３（被覆部）は、先端部における外径がハウジング部２０２ａ（第１収納部）の基端部における外径と略等しく、ハウジング部２０２ａと略同軸（軸線Ｏを中心として）に並んで（軸線Ｏ方向に並んで）配置されている。このため、中空撚線２０３の先端部とハウジング部２０２ａの基端部との接続部分におけるガイドワイヤの外表面形状Ｌ（図３）を、凹凸のない平坦な形状とすることができ、血管（脈管）内部の組織の損傷を抑制できる。
【００４８】
さらに、図３に示すように、収納部２０２の中間部２０２ｂ（第２収納部）の先端部には、基端側から先端側にかけて外径が徐々に縮径する第１テーパ部２０２ｘ（縮径部）が形成されているため、中間部２０２ｂの先端部を、中間部２０２ｂの基端側と比較して柔軟に構成できる。
【００４９】
さらに、図４に示すように、収納部２０２の中間部２０２ｂ及び基端部２０２ｃ（第２収納部）のうち中空撚線２０３（被覆部）に被覆されていないと共にシャフト３０２（基端側被覆部）に被覆されている領域（第２領域Ａ２）の剛性は、収納部２０２の中間部２０２ｂ及び基端部２０２ｃのうち中空撚線２０３に被覆されていると共にシャフト３０２に被覆されていない領域（第１領域Ａ１）の剛性以上である。また、中空シャフト３０１（シャフト部）のうちシャフト３０２に被覆されている領域（第３領域Ａ３）の剛性は、第２領域Ａ２の剛性以上である。さらに、中空シャフト３０１（シャフト部）のうちシャフト３０２に被覆されていない領域（第４領域Ａ４）の剛性は、第３領域Ａ３の剛性以上である。このため、ガイドワイヤ１の剛性を、基端側から先端側にかけて徐々に柔軟とすることができ、支持力、トルク伝達性、及び血管選択性に優れたガイドワイヤ１を提供できる。また、シャフト３０２は、収納部２０２と中空シャフト３０１の境界部ＢＰ及びその両端（すなわち、収納部２０２の基端側の一部分であって中空撚線２０３に覆われていない一部分と、中空シャフト３０１の先端側の一部分）を被覆しているため、収納部２０２と中空シャフト３０１の境界部ＢＰにおける折れやキンクの発生を抑制することで、ガイドワイヤ１の耐久性を向上できる。
【００５０】
さらに、例えば、ＮｉＴｉ合金や、ＮｉＴｉと他の金属との合金のような、疲労強度の高い超弾性材料を用いることで、ハウジング部２０２ａ（第１収納部）と、収納部２０２の中間部２０２ｂ及び基端部２０２ｃ（第２収納部）とにおける破断耐久性を向上できる。また、中空撚線２０３（被覆部）と、シャフト３０２（基端側被覆部）と、中空シャフト３０１（シャフト部）とに対しては、例えば、ＳＵＳ３０４、ＳＵＳ３１６等のステンレス合金のような、超弾性材料よりも塑性変形しやすい材料を用いることで、ガイドワイヤ１の剛性を、基端側から先端側にかけて徐々に柔軟とすることができ、支持力、トルク伝達性、及び血管選択性に優れたガイドワイヤ１を提供できる。
【００５１】
さらに、シャフト３０２（被覆部）は、１又は複数の素線を螺旋状に巻回して形成されたコイル体である。このため、仮に、シャフト３０２と収納部２０２の中間部２０２ｂ及び基端部２０２ｃ（第２収納部）との両方に破損が生じた場合であっても、シャフト３０２は素線の巻きが解けて伸長するに留まるため、ガイドワイヤ１の離断をより一層抑制することができ、離断片が体内に残存することをより一層抑制できる。
【００５２】
さらに、センサヘッド２０１ａ（検出素子）は、血管等の脈管内を流れる体液の圧力を検出する検出素子であるため、ガイドワイヤ１を、血圧を検出（測定）するデバイスとして構成できる。また、ハウジング部２０２ａ（第１収納部）の先端側に設けられ、１又は複数の素線を螺旋状に巻回して形成された先端コイル１１０を備えるため、先端側における柔軟性を向上することができ、脈管内の組織を損傷する虞を低減できる。
【００５３】
＜第２実施形態＞
図５は、第２実施形態のガイドワイヤ１Ａの中間部２００の構成を例示した説明図である。第２実施形態のガイドワイヤ１Ａは、中間部２００において、収納部２０２に代えて収納部２０２Ａを備えている。収納部２０２Ａは、ハウジング部２０２ａの基端部に、中空撚線２０３の先端部を係合させるための段状部２０２ｎが形成されている。段状部２０２ｎは、ハウジング部２０２ａの底面角部に形成された切り欠きであり、ガイドワイヤ１Ａの周方向に延びている。中空撚線２０３は、その先端部を、収納部２０２Ａの段状部２０２ｎに係合させた状態で、第２接合部２０９により接合されている。
【００５４】
図６は、第２実施形態のガイドワイヤ１Ａの基端部３００の構成を例示した説明図である。第２実施形態のガイドワイヤ１Ａは、基端部３００において、シャフト３０２に代えてシャフト３０２Ａを備えている。シャフト３０２Ａは、第１実施形態とは異なる材料、具体的には超弾性材料、例えば、ＮｉＴｉ合金や、ＮｉＴｉと他の金属との合金により形成されている。ここで、図６に示すように、収納部２０２Ａが中空撚線２０３に被覆されており、シャフト３０２Ａに被覆されていない領域を第１領域Ａ１１とする。同様に、収納部２０２Ａがシャフト３０２Ａに被覆されており、中空撚線２０３に被覆されていない領域を第２領域Ａ２１とする。中空シャフト３０１がシャフト３０２Ａに被覆されている領域を第３領域Ａ３１とする。中空シャフト３０１がシャフト３０２Ａに被覆されていない領域を第４領域Ａ４１とする。このとき、第１実施形態と同様に、第２領域Ａ２１の剛性は、第１領域Ａ１１の剛性以上である。第３領域Ａ３１の剛性は、第２領域Ａ２１の剛性以上である。第４領域Ａ４１の剛性は、第３領域Ａ３１の剛性以上である。（剛性Ａ１１≦Ａ２１≦Ａ３１≦Ａ４１）。
【００５５】
このように、収納部２０２Ａのハウジング部２０２ａの形状は任意に変更することができ、例えば、中空撚線２０３を係合させるための段状部２０２ｎを設けてもよい。また、例えば、ハウジング部２０２ａを略有底円筒形状以外の形状（例えば、内側空間ＨＧと、血液流路を構成する貫通孔とを有する球状）に形成してもよい。また、シャフト３０２Ａの材料は任意に変更することができ、例えば、上述のような超弾性材料を用いてもよく、樹脂材料を用いてもよい。このようにしても、第１実施形態と同様の効果を奏することができる。また、第２実施形態のガイドワイヤ１Ａによれば、ハウジング部２０２ａ（第１収納部）の基端部には、中空撚線２０３（被覆部）の先端部と係合する段状部２０２ｎが形成されているため、製造時におけるハウジング部２０２ａと中空撚線２０３との位置決めが容易となる。また、第１実施形態で説明した段状部２０２ｎが無い構成と比較して、ハウジング部２０２ａと中空撚線２０３との接続部分（すなわち、第２接合部２０９が設けられる部分）において局所的に剛性が高くなることを回避できる。
【００５６】
さらに、第２実施形態のガイドワイヤ１Ａでは、シャフト３０２Ａ（基端側被覆部）を超弾性材料により構成しているため、第１実施形態と比較して、第１〜４領域Ａ１１〜Ａ４１間の剛性をより徐変できる。さらに、例えば、ＮｉＴｉ合金や、ＮｉＴｉと他の金属との合金のような、疲労強度の高い超弾性材料を用いることで、ハウジング部２０２ａ（第１収納部）と、収納部２０２Ａの中間部２０２ｂ及び基端部２０２ｃ（第２収納部）と、シャフト３０２Ａ（基端側被覆部）とにおける破断耐久性を向上できる。また、中空撚線２０３（被覆部）と、中空シャフト３０１（シャフト部）とに、例えば、ＳＵＳ３０４、ＳＵＳ３１６等のステンレス合金のような、超弾性材料よりも塑性変形しやすい材料を用いることで、ガイドワイヤ１Ａの剛性を、基端側から先端側にかけて徐々に柔軟とすることができ、支持力、トルク伝達性、及び血管選択性に優れたガイドワイヤ１Ａを提供できる。
【００５７】
＜第３実施形態＞
図７は、第３実施形態のガイドワイヤ１Ｂの中間部２００の構成を例示した説明図である。第３実施形態のガイドワイヤ１Ｂは、中間部２００において、収納部２０２に代えて収納部２０２Ｂを備えている。収納部２０２Ｂは、ハウジング部２０２ａの外径が、中空撚線２０３の外径の外径よりも小さい。このため、ガイドワイヤ１Ｂでは、中空撚線２０３の先端部とハウジング部２０２ａの基端部との接続部分におけるガイドワイヤの外表面形状Ｌに段差（図７：白抜き矢印）が生じている。このように、ガイドワイヤ１Ｂの各構成部材の外径（例えば、先端コイル１１０、収納部２０２Ｂ、中空撚線２０３、中空シャフト３０１、シャフト３０２等）は任意に変更することができる。このようにしても、第１実施形態と同様の効果を奏することができる。
【００５８】
＜第４実施形態＞
図８は、第４実施形態のガイドワイヤ１Ｃの中間部２００の構成を例示した説明図である。第４実施形態のガイドワイヤ１Ｃは、中間部２００において、収納部２０２に代えて収納部２０２Ｃを備えている。収納部２０２Ｃは、中間部２０２ｂの先端に縮径部（図３：第１テーパ部２０２ｘ）が形成されていない。このように、ガイドワイヤ１Ｃの各構成部材における縮径部及び拡径部（例えば、収納部２０２Ｃの第１テーパ部２０２ｘ及び第２テーパ部２０２ｙ、先端コア１０１のテーパ部１０１ｃ、シャフト３０２のテーパ部３０２ｘ、中空シャフト３０１のテーパ部３０１ｘ等）は省略してもよい。このようにしても、第１実施形態と同様の効果を奏することができる。
【００５９】
＜第５実施形態＞
図９は、第５実施形態のガイドワイヤ１Ｄの基端部３００の構成を例示した説明図である。第５実施形態のガイドワイヤ１Ｄは、基端部３００において、シャフト３０２（図４）及び第５接合部３０９ｃ（図４）を備えておらず、かつ、中空シャフト３０１に代えて中空シャフト３０１Ｄを備えている。中空シャフト３０１Ｄは、中空撚線２０３と略同一の外径を有し、かつ、内側面において収納部２０２の基端部２０２ｃを嵌合させるための段状部が形成された先端部３０１ａと、先端部３０１ａの基端側に連続して延びる基端部３０１ｂとを有している。収納部２０２の基端部２０２ｃは、先端部３０１ａの段状部に嵌り込んだ状態で、第４接合部３０９ｂ及び境界部ＢＰにより接合されている。
【００６０】
ここで、図９に示すように、収納部２０２が中空撚線２０３に被覆されている領域を第５領域Ａ５とする。また、収納部２０２が中空シャフト３０１Ｄに被覆されている領域を第６領域Ａ６とする。さらに、中空シャフト３０１Ｄが収納部２０２を被覆していない領域を第７領域Ａ７とする。このとき、第６領域の剛性は、第５領域の剛性以上である。第７領域の剛性は、第６領域の剛性以上である（剛性Ａ５≦Ａ６≦Ａ７）。このような剛性の相違は、第５〜７領域Ａ５〜７間における収納部２０２の径の相違と、中空シャフト３０１Ｄの径の相違とによってもたらされている。
【００６１】
このように、基端部３００の構成は任意に変更することができ、例えば、シャフト３０２を省略してもよく、複数のシャフト３０２を備えていてもよく、中空シャフト３０１Ｄの形状を変更してもよい。このようにしても、第１実施形態と同様の効果を奏することができる。
【００６２】
＜第６実施形態＞
図１０は、第６実施形態のガイドワイヤ１Ｅの中間部２００の構成を例示した説明図である。第６実施形態のガイドワイヤ１Ｅは、中間部２００において、収納部２０２に代えて収納部２０２Ｅを備えている。収納部２０２Ｅは、ハウジング部２０２ａに、第１孔２０２ｄ及び第２孔２０２ｅが複数組（図示の例では３組）形成されている。このように、収納部２０２Ａのハウジング部２０２ａの形状は任意に変更することができ、例えば、第１孔２０２ｄ及び第２孔２０２ｅが複数組形成されていてもよい。また、例えば、第１孔２０２ｄと第２孔２０２ｅとの一方を省略して単一の貫通孔を有する構成としてもよく、ハウジング部２０２ａを多孔質体により形成してもよい。このようにしても、第１実施形態と同様の効果を奏することができる。また、第６実施形態のガイドワイヤ１Ｅによれば、センサヘッド２０１ａが収納された内側空間ＨＧへと、血管内の血液をより流入させやすくできる。
＜第７実施形態＞
図１１は、第７実施形態のガイドワイヤ１Ｆの断面構成を例示した説明図である。第７実施形態のガイドワイヤ１Ｆは、先端部１００において、先端コイル１１０（図１）を備えておらず、先端コア１０１に代えて先端コア１０１Ｆを備えている。先端コア１０１Ｆは、フランジ部１０１ａの先端部に、テーパ部１０１ｃ（図１）が設けられておらず直接、先端部１０１ｂが設けられている。また、先端チップ１０５の基端部は、収納部２０２のハウジング先端部２０２ｆと接合されている。このように、先端部１００の構成は任意に変更することができ、例えば、先端コイル１１０を省略してもよく、先端コア１０１Ｆの形状を変更してもよく、先端チップ１０５を省略してもよい。このようにしても、第１実施形態と同様の効果を奏することができる。
【００６３】
＜第８実施形態＞
図１２は、第８実施形態のガイドワイヤ１Ｇの断面構成を例示した説明図である。第８実施形態のガイドワイヤ１Ｇは、先端部１００において、先端コイル１１０に代えて先端コイル１１０Ｇを備えている。先端コイル１１０Ｇは、コイル体の第１コイル体１０２（図１）に代えて、略円筒形状のチューブからなる第１管状体１０２Ｇを備えている。第１管状体１０２Ｇは、第１コイル体１０２と同様の材料で形成されていてもよく、樹脂材料で形成されていてもよい。このように、先端部１００の構成は任意に変更することができ、例えば、第１コイル体１０２と第２コイル体１０３（図１）との少なくとも一方を管状体により構成してもよく、第１コイル体１０２と第２コイル体１０３との少なくとも一方を省略してもよい。このようにしても、第１実施形態と同様の効果を奏することができる。
【００６４】
＜第９実施形態＞
図１３は、第９実施形態のガイドワイヤ１Ｈの中間部２００の構成を例示した説明図である。第９実施形態のガイドワイヤ１Ｈは、中間部２００において、収納部２０２に代えて収納部２０２Ｈを備えている。収納部２０２Ｈは、テーパ部２０２ｚと、段状部２０２ｍとが形成されたハウジング部２０２ａＨを備えている。テーパ部２０２ｚは、ハウジング部２０２ａＨの底面に形成された傾斜であり、基端側から先端側にかけて外径が徐々に拡径した部分である。段状部２０２ｍは、テーパ部２０２ｚの途中に設けられた切り欠きである。図１３の例では、中空撚線２０３は、先端部が段状部２０２ｍに係合された状態で、第２接合部２０９Ｈにより接合されている。
【００６５】
このように、ハウジング部２０２ａＨの形状は任意に変更することができ、ハウジング部２０２ａＨの基端部において、基端側から先端側にかけて外径が徐々に拡径したテーパ部２０２ｚを設けてもよい。このようにしても、第１実施形態と同様の効果を奏することができる。また、第９実施形態の構成によれば、ハウジング部２０２ａＨの基端部にテーパ部２０２ｚを設けることにより、ハウジング部２０２ａＨと第１テーパ部２０２ｘとの間に生じる応力集中を緩和することができるため、収納部２０２Ｈの疲労強度を向上させ、曲げ、捻りによる破断耐久性を向上させることが可能となる。
【００６６】
＜本実施形態の変形例＞
本発明は上記の実施形態に限られるものではなく、その要旨を逸脱しない範囲において種々の態様において実施することが可能であり、例えば次のような変形も可能である。
【００６７】
［変形例１］
上記第１〜９実施形態では、ガイドワイヤ１，１Ａ〜Ｈの構成を例示した。しかし、ガイドワイヤ１の構成は種々の変更が可能である。例えば、上記各実施形態のガイドワイヤは、血管に挿入して使用され、血圧を検出することが可能なデバイスとして説明した。しかし、ガイドワイヤ１は、血管系やリンパ腺系といった脈管内に挿入して使用され、脈管に関する情報（温度、圧力、画像等）を検出・取得するデバイスとして構成できる。また、ガイドワイヤ１は、血管系、リンパ腺系、胆道系、尿路系、気道系、消化器官系、分泌腺及び生殖器官等、人体内の各器官に挿入され、生体管腔に関する情報（温度、圧力、画像等）を検出・取得するデバイスとして構成できる。
【００６８】
［変形例２］
上記第１〜９実施形態では、中間部２００の構成を例示した。しかし、中間部２００の構成は種々の変更が可能である。例えば、中空撚線２０３が、コイル体ではなく、略円筒形状のチューブ（管状体）により構成されていてもよい。例えば、中空撚線２０３の外径及び内径の少なくとも一方は、均一でなくてもよい。例えば、中空撚線２０３の基端部は、中空シャフト３０１の先端部に接続されていてもよい。この場合、シャフト３０２は省略されてもよく、シャフト３０２が中空撚線２０３の内側に配置（シャフト３０２が中空撚線２０３に覆われた構成）されていてもよい。例えば、被覆層２０４は省略されてもよく、被覆層２０４が先端部１００の各部をも覆う構成であってもよい。例えば、収納部２０２と、中空撚線２０３との少なくとも一方は、上述した材料以外の材料（例えば、樹脂材料）によって形成されていてもよい。
【００６９】
［変形例３］
上記第１〜９実施形態では、基端部３００の構成の一例を示した。しかし、基端部３００の構成は種々の変更が可能である。例えば、中空シャフト３０１とシャフト３０２とが一体に形成されてもよい。例えば、中空シャフト３０１が、コアシャフトと、コアシャフトを覆うコイル体とによって形成されていてもよい。例えば、中空シャフト３０１とシャフト３０２とが省略され、収納部２０２及び中空撚線２０３がガイドワイヤ１の基端部まで延伸していてもよい。例えば、第１領域Ａ１，Ａ１１と、第２領域Ａ２，Ａ２１と、第３領域Ａ３，Ａ３１と、第４領域Ａ４，Ａ４１との剛性は、剛性Ａ１≦Ａ２≦Ａ３≦Ａ４の関係でなくてもよい。
【００７０】
例えば、基端側被覆層３０４は省略されてもよく、基端側被覆層３０４と被覆層２０４と一体に形成されてもよい。例えば、基端側被覆層３０４と被覆層２０４とが層状に（ガイドワイヤ１の周方向に重畳されて）形成されていてもよい。例えば、中空シャフト３０１とシャフト３０２との少なくとも一方は、上述した材料以外の材料（例えば、樹脂材料）によって形成されていてもよい。
【００７１】
［変形例４］
上記第１〜９実施形態のガイドワイヤ１，１Ａ〜Ｈの構成、及び上記変形例１〜３のガイドワイヤ１，１Ａ〜Ｈの構成は、適宜組み合わせてもよい。例えば、第７，８実施形態のいずれかで説明した先端部１００の構成と、第２，３，４，６，９実施形態で説明した中間部２００の構成と、第２，５実施形態で説明した基端部３００の構成と、のそれぞれは、任意の組み合わせが可能である。
【００７２】
以上、実施形態、変形例に基づき本態様について説明してきたが、上記した態様の実施の形態は、本態様の理解を容易にするためのものであり、本態様を限定するものではない。本態様は、その趣旨並びに特許請求の範囲を逸脱することなく、変更、改良され得ると共に、本態様にはその等価物が含まれる。また、その技術的特徴が本明細書中に必須なものとして説明されていなければ、適宜、削除することができる。
【符号の説明】
【００７３】
１，１Ａ〜Ｈ…ガイドワイヤ
１００…先端部
１０１，１０１Ｆ…先端コア
１０１ａ…フランジ部
１０１ｂ…先端部
１０１ｃ…テーパ部
１０２，１０２Ｇ…第１コイル（管状）体
１０３…第２コイル体
１０５…先端チップ
１０６…接合部
１０９…第１接合部
１１０，１１０Ｇ…先端コイル
２００…中間部
２０１…センサ
２０１ａ…センサヘッド
２０１ｂ…センサケーブル
２０２，２０２Ａ，Ｂ，Ｃ，Ｅ…収納部
２０２ａ，２０２ａＨ…ハウジング部
２０２ｂ…中間部
２０２ｃ…基端部
２０２ｄ…第１孔
２０２ｅ…第２孔
２０２ｆ…ハウジング先端部
２０２ｎ，２０２ｍ…段状部
２０２ｘ…第１テーパ部
２０２ｙ…第２テーパ部
２０２ｚ…テーパ部
２０３…中空撚線
２０４…被覆層
２０９…第２接合部
３００…基端部
３０１，３０１Ｄ…中空シャフト
３０１ａ…先端部
３０１ｂ…基端部
３０１ｘ…テーパ部
３０２，３０２Ａ…シャフト
３０２ａ…基端部
３０２ｘ…テーパ部
３０４…基端側被覆層
３０９ａ…第３接合部
３０９ｂ…第４接合部
３０９ｃ…第５接合部
【図１】
0006963099.tif 000002
【図２】
0006963099.tif 000003
【図３】
0006963099.tif 000004
【図４】
0006963099.tif 000005
【図５】
0006963099.tif 000006
【図６】
0006963099.tif 000007
【図７】
0006963099.tif 000008
【図８】
0006963099.tif 000009
【図９】
0006963099.tif 000010
【図１０】
0006963099.tif 000011
【図１１】
0006963099.tif 000012
【図１２】
0006963099.tif 000013
【図１３】
0006963099.tif 000014